(57)【要約】【課題】建造物の床基盤と床材との間に配管などを収容するための空間を確保するとともに、床材の上方に臨む一表面を、水平面に対して予め定める傾斜角度で傾斜させるることができる床構造体および床構造体の施工方法を提供する。【解決手段】少なくとも一角部から対向する他角部に向かって厚み寸法が変化する複数の床材１１と、軸線方向に伸縮自在であり、建造物の床基盤８１に軸線を上下方向に延在させて配置され、この配置状態で上部に配置されるブロック３０に、床材１１の一角部と他角部との厚み寸法差と等しい段差を有する軸線に垂直な複数の支持面３４，３５が形成される複数の支柱１２とを含む。また複数の床材１１にわたって連続して、防水性を有する防水層７０が設けられる。【選択図】　　　図１
2004124513.tif 000002
【特許請求の範囲】
【請求項１】
少なくとも一角部から対向する他角部に向かって厚み寸法が変化する複数の床材と、
軸線方向に伸縮自在であり、建造物の床基盤に軸線を上下方向に延在させて配置され、この配置状態で上部に配置される一端部に、床材の一角部と他角部との厚み寸法差と等しい段差を有する軸線に垂直な複数の支持面が形成される複数の支柱とを含むことを特徴とする床構造体。
【請求項２】
複数の床材にわたって連続して、防水性を有する防水層が設けられることを特徴とする請求項１記載の床構造体。
【請求項３】
床基盤の上方に、複数の床材を並べて、複数の支柱によって支持する床構造体の施工方法であって、
床材の形状に基づいて、支柱の配置位置を決定し、軸線方向に伸縮自在な複数の支柱を、軸線を上下方向に延在させて各配置位置に配置する支柱配置工程と、
床材を支柱に支持させる床材配置工程と、
各床材の上方に臨む一表面が、水平面に対して予め定める傾斜角度で傾斜するとともに、滑らかに連なるように、各支柱の軸線方向寸法を調整する支柱調整工程とを含むことを特徴とする床構造体の施工方法。
【発明の詳細な説明】
【０００１】
【発明の属する技術分野】
本発明は、たとえば厨房などの水を用いる場所における床構造体および床構造体の施工方法に関する。
【０００２】
【従来の技術】
たとえば厨房などの水を用いる場所の床は、水はけを良好にするために、水を排水溝に導くことができるように、排水溝に向かうにつれて下方に傾斜するように形成されている。
【０００３】
このような厨房では、シンダーコンクリートと呼ばれる炭殻を骨材とした軽量コンクリートを床材として用いて、給水管、給湯管、ガス管、排水溝および排水から油を分離するグリストラップなどを、このシンダーコンクリートに埋設している。
【０００４】
【発明が解決しようとする課題】
このような従来技術では、各種配管、排水溝およびグリストラップをシンダーコンクリートに埋設しているために、厨房内の機器の配置を変更したいときには、各種配管、排水溝およびグリストラップの配置を変更するために、シンダーコンクリートを撤去する必要がある。したがって、厨房内の改修工事に要する時間および費用に、シンダーコンクリートの撤去作業の時間および費用が加わるので、改修工事の時間および費用が高騰する。またシンダーコンクリートを撤去する場合、騒音の問題などによって、撤去作業を夜間に行わなければならないことがあり、これによって厨房内の改修工事に要する費用が高くなる。さらにシンダーコンクリートに各種配管、排水溝およびグリストラップを埋設するために、シンダーコンクリートの厚みが大きくなり、このために建造物の床基盤への荷重が大きい。
【０００５】
各種配管、排水溝およびグリストラップの配置を容易にするとともに、これらの配置の自由度を高くするために、さらに建造物の床基盤への荷重を軽減するために、厨房の床材を建造物の床基盤の上方に配置するような床構造体が考えられるが、水はけを良好とするために、床材が傾斜するような床構造体は存在しなかった。
【０００６】
したがって本発明の目的は、建造物の床基盤と床材との間に配管などを収容するための空間を確保するとともに、床材の上方に臨む一表面を、水平面に対して予め定める傾斜角度で傾斜させることができる床構造体および床構造体の施工方法を提供することである。
【０００７】
【課題を解決するための手段】
請求項１記載の本発明は、少なくとも一角部から対向する他角部に向かって厚み寸法が変化する複数の床材と、
軸線方向に伸縮自在であり、建造物の床基盤に軸線を上下方向に延在させて配置され、この配置状態で上部に配置される一端部に、床材の一角部と他角部との厚み寸法差と等しい段差を有する軸線に垂直な複数の支持面が形成される複数の支柱とを含むことを特徴とする床構造体である。
【０００８】
本発明に従えば、複数の支柱は、軸線方向に伸縮自在であり、建造物の床基盤に軸線を上下方向に延在させて配置され、この配置状態で上部に配置される一端部に、床材の一角部と他角部との厚み寸法差と等しい段差を有する軸線に垂直な複数の支持面が形成される。このような支柱に、少なくとも一角部から対向する他角部に向かって厚み寸法が変化する複数の床材を、各床材の一角部が各支柱の一端部の一支持面に、各床材の他角部が各支柱の一端部の他支持面にそれぞれ当接させて支持させる。
【０００９】
このとき、たとえば、各床材が、一角部から他角部に向かって厚み寸法が小さくなるように形成され、各支柱の一端部の一支持面が他支持面よりも床材の一角部と他角部との厚み寸法差だけ上方となるように形成されている場合、各床材の一角部を支持する支柱の一支持面と、各床材の他角部を支持する支柱の他支持面とを同一平面上になるように配置して、各床材を各支柱に支持させることによって、各床材の上方に臨む一表面が水平面に対して傾斜させることができる。また、このとき、各支柱の一端部の一支持面が他支持面よりも床材の一角部と他角部との厚み寸法差だけ上方であるので、床材の一角部から他角部に向かう方向に隣り合う床材の上方に臨む一表面は、滑らかに連なることができる。このとき、さらに床材の下方に臨む他表面、すなわち各支持面に支持される表面が水平面に平行になるので、各支柱が各床材から受ける荷重の向きが上下方向になり、各支柱は各床材を安定して支持することができる。
【００１０】
また各床材は各支柱によって前述のように支持されるので、建造物の床基盤と各床材との間に、空間を設けることができる。この空間に、たとえば水道およびガスの配管、ならびに排水溝およびグリストラップなどを配置することができる。また、このような空間を設けることによって、水道およびガスの配管、ならびに排水溝およびグリストラップなどを配置するために必要な建造物の床基盤と上方に臨んで傾斜する表面との間の領域を確保するために、従来技術のようなシンダーコンクリートを用いるような床構造体に比べて、建造物の床基盤への荷重を大幅に軽減することができる。さらに、このような空間を設けることによって、床構造が設けられる室内において発生する騒音を、建造物の床基盤に伝達しにくくするような防音および防振構造をも実現することができる。
【００１１】
請求項２記載の本発明は、複数の床材にわたって連続して、防水性を有する防水層が設けられることを特徴とする。
【００１２】
本発明に従えば、複数の床材にわたって連続して、防水性を有する防水層が設けられるので、水などの液体は、床材を浸透することなく、床材の防水層に沿って、床材の傾斜する方向に流下することができる。
【００１３】
請求項３記載の本発明は、床基盤の上方に、複数の床材を並べて、複数の支柱によって支持する床構造体の施工方法であって、
床材の形状に基づいて、支柱の配置位置を決定し、軸線方向に伸縮自在な複数の支柱を、軸線を上下方向に延在させて各配置位置に配置する支柱配置工程と、
床材を支柱に支持させる床材配置工程と、
各床材の上方に臨む一表面が、水平面に対して予め定める傾斜角度で傾斜するとともに、滑らかに連なるように、各支柱の軸線方向寸法を調整する支柱調整工程とを含むことを特徴とする床構造体の施工方法である。
【００１４】
本発明に従えば、支柱配置工程において、支柱の配置位置が決定され、軸線方向に伸縮自在な複数の支柱が、軸線を上下方向に延在させて各配置位置に配置され、床材配置工程において、床材が支柱に支持され、支柱調整工程において、各床材の上方に臨む一表面が、水平面に対して予め定める傾斜角度で傾斜するとともに、滑らかに連なるように、各支柱の軸線方向寸法が調整される。これによって、各床材の上方に臨む一表面が、水平面に対して予め定める傾斜角度で傾斜するとともに、滑らかに連なるようにして、建造物の床基盤と各床材との間に、空間を設けることができる。この空間に、たとえば水道およびガスの配管、ならびに排水溝およびグリストラップなどを配置することができる。また、従来技術のようなシンダーコンクリートを用いるような床構造体に比べて、水道およびガスの配管、ならびに排水溝およびグリストラップなどの配置の変更を、極めて容易に行うことができる。
【００１５】
【発明の実施の形態】
図１は、本発明の実施の一形態の床構造体１０を示す断面図である。図２は、床構造体１０を示す平面図である。図３は、床構造体１０が設けられる建造物８０を示す平面図である。図１は、図３の切断面線Ｓ１−Ｓ１から見た断面図であり、図２は、図３のセクションＩＩを拡大して示している。床構造体１０は、建造物８０において、たとえば厨房などの水を用いる場所に備えられる。床構造体１０は、複数の床材１１，１１Ａ，１１Ｂおよび複数の支柱１２を含んで構成される。床構造体１０は、建造物の床基盤８０の上方に、複数の床材１１，１１Ａ，１１Ｂをマトリクス状に並べて、各床材１１，１１Ａ，１１Ｂの角部を複数の支柱１２によって支持する。図１および図３に示すように、排水から油を分離するグリストラップ８３が上下方向に最も低い位置に配置され、各床材１１，１１Ａ，１１Ｂの上方を流下する排水および排水溝８２からの排水が、グリストラップ８３に流入する。図１に示すように、排水溝８２およびグリストラップ８３の上方には、上下方向に貫通する複数の透孔が形成される大略的に平板状のグレーチング８４が設けられる。排水溝８２、グリストラップ８３およびグレーチング８４は、ステンレス鋼製である。
【００１６】
図４は、第１の床材１１を示す斜視図である。第１の床材１１は、６つの四角形の面を有する、大略的に板状の６面体であり、第１角部１３および第２角部１４から対向する第３角部１５および第４角部１６に向かって厚み寸法が変化するように形成される。詳細に述べると、第１の床材１１Ａの４つの角部のうちの第１角部１３、および前記第１角部１３に第１の床材１１Ａの一側部である第１側部１９を介して隣り合う第２角部１４から、第１角部１３に前記第１側部１９とは異なる側部である第２側部２０を介して隣り合って対向する第３角部１５、および第２角部１４に前記第２側部２０に対向する第３側部２１を介して隣り合って対向する第４角部１６に向かって、厚み寸法が小さくなるように形成される。換言すれば、第１の床材１１は、第１側部１９から、第１の床材１１における第１〜第３側部１９〜２１を除く残余の側部であって第１側部１９に対向する第４側部２２に向かって、厚み寸法が小さくなるように形成される。
【００１７】
さらに詳細に述べると、支柱１２によって支持される状態で第１の床材１１の下方に臨む表面である下面１８は、平面状に形成される。また支柱１２によって支持される状態で第１の床材１１の前記下面１８に対向して上方に臨む一表面である上面１７が、前記下面１８に対して所定の傾斜角度θで傾斜する平面状に形成される。また上面１７および下面１８に連通する第１の床材１１の４つの側部である第１〜第４側部１９〜２２の各表面は、下面１８に垂直な平面状に形成される。詳細には、第１の床材１１の第１側部１９の長方形状の表面と、前記第１側部１９に対向する第４側部２２の長方形状の表面とは、平行であり、第２側部２０の台形状の表面と、前記第２側部２０に対向する第３側部２１の台形状の表面とは、平行であり、第１側部１９の表面と第２側部２０の表面とは直交する。
【００１８】
第１の床材１１の上面１７の下面１８に対する傾斜角度θは、たとえばｔａｎθ＝０．０１を満たす角度であってもよい。第１の床材１１の第１角部１３および第２角部１４の厚み寸法ｔ１は、たとえば約２５ミリメートルであり、第３角部１５および第４角部１６の厚み寸法ｔ２は、たとえば約２０ミリメートルである。第１の床材１１の下面１８は、たとえば一辺の長さが約５００ミリメートルの正方形である。
【００１９】
図５は、第２の床材１１Ａを示す斜視図である。第２の床材１１Ａは、支柱１２によって支持される状態において上方に臨む２つの三角形の面と、側方および下方に臨む５つの四角形の面とを有する７面体であり、第１角部１３Ａ、第２角部１４Ａおよび第３角部１５Ａから前記各角部１３Ａ〜１５Ａに対向する第４角部１６Ａに向かって厚み寸法が変化するように形成される。詳細に述べると、第２の床材１１Ａの４つの角部のうちの第１角部１３Ａと、前記第１角部１３Ａに第２の床材１１Ａの一側部である第１側部１９Ａを介して隣り合う第２角部１４Ａと、前記第１角部１３Ａに前記第１側部１９Ａとは異なる側部である第２側部２０Ａを介して隣り合う第３角部１５Ａとから、第２の床材１１Ａの４つの角部のうちの残余の角部である第４角部１６Ａに向かって、厚み寸法が小さくなるように形成される。
【００２０】
さらに詳細に述べると、支柱１２によって支持される状態で第２の床材１１Ａの下方に臨む下面１８Ａは、平面状に形成される。また支柱１２によって支持される状態で第２の床材１１Ａの前記下面１８Ａに対向して上方に臨む２つの三角形の面は、第１角部１３Ａ、第２角部１４Ａおよび第４角部１６Ａを含む第１上面１７１、ならびに第１角部１３Ａ、第３角部１５Ａおよび第４角部１６Ａを含む第２上面１７２から成り、これら２つの上面１７１，１７２は、前記下面１８Ａに対して所定の傾斜角度θで傾斜するように形成される。また上面１７１，１７２および下面１８に連通する第２の床材１１Ａの４つの側部である第１〜第４側部１９Ａ〜２２Ａの各表面は、下面１８Ａに垂直な平面状に形成される。詳細には、第２の床材１１Ａの第１側部１９Ａの長方形状の表面と、前記第１側部１９Ａに対向する第３側部２１Ａの台形状の表面とは、平行であり、第２側部２０Ａの長方形状の表面と、前記第２側部２０Ａに対向する第４側部２２Ａの台形状の表面とは、平行であり、第１側部１９Ａの表面と第２側部２０Ａの表面とは直交する。
【００２１】
第２の床材１１Ａの第１角部１３Ａ、第２角部１４Ａおよび第３角部１５Ａの厚み寸法は、第１の床材１１の第１角部１３および第２角部１４の厚み寸法ｔ１に等しく、第２の床材１１Ａの第４角部１６Ａの厚み寸法は、第１の床材１１の第３角部１５および第４角部１６の厚み寸法ｔ２に等しい。第２の床材１１Ａの下面１８Ａは、たとえば各辺の長さが約５００ミリメートルの正方形である。
【００２２】
図６は、第３の床材１１Ｂを示す斜視図である。第３の床材１１Ｂは、支柱１２によって支持される状態において上方に臨む１つ大略的に円筒面状の曲面と、側方および下方に臨む５つの平面状の面を有する６面体であり、第１角部１３Ｂおよび第２角部１４Ｂから対向する第３角部１５Ｂおよび第４角部１６Ｂに向かって厚み寸法が変化するように形成される。詳細に述べると、第３の床材１１Ｂの４つの角部のうちの第１角部１３Ｂ、および前記第１角部１３Ｂに第３の床材１１Ｂの一側部である第１側部１９Ｂを介して隣り合う第２角部１４Ｂから、第１角部１３Ｂに前記第１側部１９Ｂとは異なる側部である第２側部２０Ｂを介して隣り合って対向する第３角部１５Ｂ、および第２角部１４Ｂに前記第２側部２０Ｂに対向する第３側部２１Ｂを介して隣り合って対向する第４角部１６Ｂに向かって、厚み寸法が小さくなるように形成される。換言すれば、第３の床材１１Ｂは、第１側部１９Ｂから、第３の床材１１Ｂにおける第１〜第３側部１９Ｂ〜２１Ｂを除く残余の側部であって第１側部１９Ｂに対向する第４側部２２Ｂに向かって、厚み寸法が小さくなるように形成される。
【００２３】
さらに詳細に述べると、支柱１２によって支持される状態において、第３の床材１１Ｂの下方に臨む下面１８Ｂが、平面状に形成される。また支柱１２によって支持される状態において、第３の床材１１Ｂの前記下面１８Ｂに対向して上方に臨む一表面である上面１７Ｂが、前記下面１８Ｂに対して傾斜する曲面状に形成される。第３の床材１１Ｂの上面１７Ｂの第４側部２２Ｂ寄りの部分の下面１８Ｂに対する傾斜角度θは、第１の床材１１の上面１７の下面１８に対する傾斜角度θに等しい。第３の床材１１Ｂの上面１７Ｂの下面１８Ｂに対する傾斜角度は、第４側部２２Ｂから前記第４側部２２Ｂに対向する第１側部１９Ｂに向かうにつれて大きくなる。また上面１７Ｂおよび下面１８Ｂに連通する第３の床材１１Ｂの４つの側部である第１〜第４側部１９Ｂ〜２２Ｂの各表面は、下面１８Ｂに垂直な平面状に形成される。詳細には、第３の床材１１Ｂの第１側部１９Ｂの長方形状の表面と、前記第１側部１９Ｂに対向する第４側部２２Ｂの長方形状の表面とは、平行であり、第２側部２０Ｂの表面と、前記第２側部２０Ｂに対向する第３側部２１Ｂの表面とは、平行であり、第１側部１９Ｂの表面と第２側部２０Ｂの表面とは直交する。
【００２４】
第３の床材１１Ｂの第１角部１３Ｂおよび第２角部１４Ｂの厚み寸法ｔ３は、たとえば約５０ミリメートルであり、第３の床材１１Ｂの第３角部１５Ｂおよび第４角部１６Ｂの厚み寸法は、第１の床材１１の第３角部１５および第４角部１６の厚み寸法ｔ２に等しい。第３の床材１１Ｂの下面１８Ｂは、たとえば第１角部１３Ｂから第２角部１４Ｂに向かう方向の寸法が約５００ミリメートル、第１角部１３Ｂから第３角部１５Ｂに向かう方向の寸法が約５００ミリメートルの長方形である。
【００２５】
第１〜第３の床材１１〜１１Ｂは、たとえば、鋼または合金鋼の鋳造成型品、および鋼または合金鋼の中空構造の成型品であってもよい。また第１〜第３の床材１１〜１１Ｂは、たとえば、軽量モルタル、軽量モルタル特殊ポリプロピレン、軽量コンクリート、ポリプロピレンおよびポリエチレンテレフタレート（略称：ＰＥＴ）を、鋼または合金鋼によって補強したものであってもよい。また第１〜第３の床材１１〜１１Ｂは、たとえば、リサイクルされたＰＥＴから成るものであってもよい。また第１〜第３の床材１１〜１１Ｂは、たとえば、アルミニウムのダイカストまたは砂形鋳造による成型品であってもよい。また第１〜第３の床材１１〜１１Ｂは、たとえば、鋼板と軽量コンクリートとから成る複合パネルであってもよい。また第１〜第３の床材１１〜１１Ｂは、たとえば、鋼板と積層された木材板とから成る複合パネルであってもよい。また第１〜第３の床材１１〜１１Ｂは、たとえば、ガラス繊維強化セメント板（略称：ＧＲＣ）鋼板ハイブリッドパネルから成るものであってもよい。
【００２６】
また第１〜第３の床材１１〜１１Ｂは、たとえば、超高強度軽量コンクリートとエチレンコーポリマーレジンシート（略称：ＥＣＲ）との混合物から成るものであってもよい。また第１〜第３の床材１１〜１１Ｂは、たとえば、超高強度軽量コンクリートとリサイクルされたガラス粉末とＥＣＲとの混合物から成るものであってもよい。また第１〜第３の床材１１〜１１Ｂは、たとえば、アクリロニトリル、ブタジエンおよびスチレンの共重合樹脂などの難燃性樹脂から成るものであってもよい。また第１〜第３の床材１１〜１１Ｂは、たとえば、ポリプロピレン、およびノンアスベスト珪酸カルシウム、高鋼性の不飽和ポリエステル（略称：ＢＭＣ）から成るものであってもよい。
【００２７】
また第１〜第３の床材１１〜１１Ｂは、たとえば、廃木材等から成るパーティクルボードと鋼板との複合材から成るもの、亜鉛めっきされた鉄板によって補強された珪酸カルシウム板、軽量無機物が内部空間に充填されたプレス鋼板、珪酸カルシウムと鋼または合金鋼から成る複合板であってもよい。また第１〜第３の床材１１〜１１Ｂは、たとえば、耐腐食性を有するプラスチック樹脂から成るものであってもよい。
【００２８】
図７は、支柱１２を示す断面図である。支柱１２は、軸線Ｌ１２方向に伸縮自在であり、建造物の床基盤８１に軸線Ｌ１２を上下方向Ａ１に延在させて配置され、この配置状態で上部に配置される一端部である第１ブロック３０に、第１の床材１１の第１角部１３と第３角部１５との厚み寸法差Δｔ（＝ｔ１−ｔ２）と等しい段差を有する軸線Ｌ１２に垂直な複数の、本実施の形態においては２つの支持面３１，３２が形成される。支柱１２は、第１ブロック３０、ねじ部材４３および基台４４を含んで構成される。また第１ブロック３０は、後述する第２および第３ブロック３０Ａ，３０Ｂに変更することができる。
【００２９】
図８は、支柱１２の第１ブロック３０を示す斜視図である。第１ブロック３０には、その内部を通る基準軸線Ｌ０に沿って貫通する貫通孔３１が形成される。第１ブロック３０には、基準軸線Ｌ０に直交する直線である第１直線Ｌ１と基準軸線Ｌ０とに平行な第１仮想平面よりも、基準軸線Ｌ０と第１直線Ｌ１とに直交する第２直線Ｌ２方向一方向Ｃ１側の部分である第１支持部３２と、前記第１仮想平面よりも第２直線Ｌ２方向他方向Ｃ２側の部分である第２支持部３３と、を有する。第１支持部３２には、基準軸線Ｌ０に垂直な平面状の第１支持面３４が形成される。第２支持部３２には、基準軸線Ｌ０に垂直な平面状の第２支持面３５が形成される。第２支持面３５は、第１支持面３４よりも基準軸線Ｌ０方向一方向Ａ１側に配置され、その間隔は、Δｔである。
【００３０】
第１ブロック３０は、詳細に述べると、一辺が予め定める寸法の立方体に、その一側面に垂直であって、前記立方体の重心を通る基準軸線Ｌ０に沿って貫通する内径が所定の寸法の貫通孔３１を形成し、基準軸線Ｌ０に垂直な前記立方体の一辺に平行であって基準軸線Ｌ０に直交する第１直線Ｌ１と基準軸線Ｌ０とに平行な第１仮想平面の、基準軸線Ｌ０と第１直線Ｌ１とに直交する第２直線Ｌ２の一方向Ｃ１側の部分である第１支持部３２と、前記第１仮想平面よりも第２直線他方向Ｃ２側の部分である第２支持部３３と、を有する。
【００３１】
第１支持部３２には、基準軸線Ｌ０に垂直な平面状の第１支持面３４が形成される。第１支持面３４は、詳細に述べると、第１直線Ｌ１方向を長手方向とする長方形から基準軸線Ｌ０を中心とする半円を切り取ったような形状である。第２支持部３２には、基準軸線Ｌ０に垂直な平面状の第２支持面３５が形成される。第２支持面３５は、詳細に述べると、第１直線Ｌ１方向を長手方向とする長方形から基準軸線Ｌ０を中心とする半円を切り取ったような形状である。第１支持面３４の長手方向に垂直な幅方向の寸法および第２支持面３５の幅方向の寸法は、各支持面３４，３５の長手方向の寸法の半分である。したがって第１支持面３４の面積と第２支持面３５の面積とは、同じである。第２支持面３５は、第１支持面３４よりも基準軸線Ｌ０方向一方向Ａ１側に配置され、その間隔は、Δｔである。
【００３２】
貫通孔３１の基準軸線Ｌ０方向他方向Ａ２側端部３６は、内周面が段差を有するように、内周面が残余の部分よりも拡径するように形成される。第２支持部３３の第２直線Ｌ２方向一方向Ｃ１側の側部３７の表面は、貫通孔３１に連通する部分を除いて、第２直線Ｌ２に垂直な平面状に形成される。第１ブロック３０は、支柱１２が建造物の床基盤８１に配置されている状態で、基準軸線Ｌ０が上下方向に平行になるようにするとともに、第１および第２支持面３４，３５が上方に臨み、かつ水平面に対して平行になるようにして、支柱１２に設けられる。
【００３３】
図９は、支柱１２の第２ブロック３０Ａを示す斜視図である。第２ブロック３０Ａには、その内部を通る基準軸線Ｌ０に沿って貫通する貫通孔３１Ａが形成される。第２ブロック３０Ａには、基準軸線Ｌ０に直交する直線である第１直線Ｌ１と基準軸線Ｌ０とに平行な第１仮想平面よりも、基準軸線Ｌ０と第１直線Ｌ１とに直交する第２直線Ｌ２方向一方向Ｃ１側、かつ基準軸線Ｌ０と第２直線Ｌ２とに平行な第２仮想平面よりも、第１直線Ｌ１方向一方Ｂ１側の部分である第１支持部３２Ａと、残余の部分である第２支持部３３Ａと、を有する。第１支持部３２Ａには、基準軸線Ｌ０に垂直な平面状の第１支持面３４Ａが形成される。第２支持部３２Ａには、基準軸線Ｌ０に垂直な平面状の第２支持面３５Ａが形成される。第２支持面３５Ａは、第１支持面３４Ａよりも基準軸線Ｌ０方向一方向Ａ１側に配置され、その間隔は、Δｔである。
【００３４】
第２ブロック３０Ａは、詳細に述べると、一辺が予め定める寸法の立方体に、その一側面に垂直であって、前記立方体の重心を通る基準軸線Ｌ０に沿って貫通する内径が所定の寸法の貫通孔３１Ａを形成し、基準軸線Ｌ０に垂直な前記立方体の一辺に平行であって基準軸線Ｌ０に直交する第１直線Ｌ１と基準軸線Ｌ０とに平行な第１仮想平面よりも、基準軸線Ｌ０と第１直線Ｌ１とに直交する第２直線Ｌ２の一方向Ｃ１側、かつ基準軸線Ｌ０と第２直線Ｌ２とに平行な第２仮想平面よりも、第１直線Ｌ１方向一方Ｂ１側の部分である第１支持部３２Ａと、残余の部分である第２支持部３３Ａと、を有する。
【００３５】
第１支持部３２Ａには、基準軸線Ｌ０に垂直な平面状の第１支持面３４Ａが形成される。第１支持面３４Ａは、詳細に述べると、一辺が、前記立方体の一辺の半分の寸法となる正方形から基準軸線Ｌ０を中心とする４分の１円を切り取ったような形状である。第２支持部３２Ａには、基準軸線Ｌ０に垂直な平面状の第２支持面３５Ａが形成される。第２支持面３５Ａは、詳細に述べると、第１直線Ｌ１方向一方向Ｂ１と第２直線Ｌ２方向一方向Ｃ１とに延びるＬ字状の図形から、基準軸線Ｌ０を中心とする４分の３円を切り取ったような形状である。したがって第１支持面３４Ａの面積は、第２支持面３５Ａの面積の３分の１である。第２支持面３５Ａは、第１支持面３４Ａよりも基準軸線Ｌ０方向一方向Ａ１側に配置され、その間隔は、Δｔである。第２ブロック３０Ａは、支柱１２が建造物の床基盤８１に配置されている状態で、基準軸線Ｌ０が上下方向に平行になるようにして、支柱１２に設けられる。
【００３６】
貫通孔３１Ａの基準軸線Ｌ０方向他方向Ａ２側端部３６Ａは、内周面が段差を有するように、内周面が残余の部分よりも拡径するように形成される。第２支持部３３Ａの、第１支持面３４Ａに臨むとともに連通する２つの側部３７１，３７２のうち、一方の側部３７１は、第１直線Ｌ１に垂直な平面状に形成され、他方の側部３７２は、第２直線Ｌ２に垂直な平面状に形成される。第２ブロック３０Ａは、支柱１２が建造物の床基盤８１に配置されている状態で、基準軸線Ｌ０が上下方向に平行になるとともに、第１および第２支持面３４Ａ，３５Ａが上方に臨み、かつ水平面に対して平行になるようにして、支柱１２に設けられる。
【００３７】
図１０は、支柱１２の第３ブロック３０Ｂを示す斜視図である。第３ブロック３０Ｂには、その内部を通る基準軸線Ｌ０に沿って貫通する貫通孔３１Ｂが形成される。第３ブロック３０Ｂには、基準軸線Ｌ０に垂直な平面状の支持面３４Ｂが形成される。
【００３８】
第２ブロック３０Ａは、詳細に述べると、基準軸線Ｌ０に平行な直線に垂直な断面形状が長方形の直方体に、前記直方体の重心を通る基準軸線Ｌ０に沿って貫通する内径が所定の寸法の貫通孔３１Ｂが形成され、基準軸線Ｌ０に垂直であって、基準軸線Ｌ０方向一方Ａ１に臨む支持面３４Ｂが形成される。第３ブロック３０Ｂは、支柱１２が建造物の床基盤８１に配置されている状態で、基準軸線Ｌ０が上下方向に平行になるとともに、支持面３４Ｂが上方に臨み、かつ水平面に対して平行になるようにして、支柱１２に設けられる。
【００３９】
図１１は、ねじ部材４３および基台４４を示す斜視図である。ねじ部材４３は、円柱状に形成され、外周部に外ねじが刻設されるねじ部５０と、ねじ部５０の軸線方向一端部に接続し、全周にわたってねじ部５０よりも半径方向外方に突出する受皿部５１とを有する。受皿部５１は、詳細に述べると、軸線方向一端側の端面５２が、軸線方向に垂直に延びる平面状に形成され、前記端面５２の中央部から軸線方向一方に円柱状に突出する突起部５３が形成される。突起部５３の中央部には、突起部５３の軸線方向一端側の端面から軸線方向他方に陥没し、軸線方向に垂直な断面形状が所定の形状となる嵌合凹所５４が形成される。突起部５３の外径は、貫通孔３１の下端部４４の内径よりも小さい寸法に形成される。
【００４０】
基台４４は、軸線方向一端部が開放する円筒形状に形成され、内周部には、ねじ部材４３のねじ部５０に螺合可能な内ねじが刻設される。基台４４は、建造物の床基盤８１に、その軸線Ｌ１２を上下方向に延在させて配置される。この状態で、基台４４にねじ部材４３が螺合されることによって、ねじ部材４３は、上下方向に螺進および螺退可能である。ねじ部材４３の受皿部５１に、第１、第２および第３ブロック３０，３０Ａ，３０Ｂが、ねじ部材４３に対して回転自在にして乗載される。このとき、第１、第２および第３ブロック３０，３０Ａ，３０Ｂの各貫通孔３１，３１Ａ，３１Ｂの軸線である基準軸線Ｌ０と、ねじ部材４３の軸線、すなわち軸線Ｌ１２とが同軸となる。また、ねじ部材４３の受皿部５１の端面５２が、第１、第２および第３ブロック３０，３０Ａ，３０Ｂの下方に臨む面に当接し、受皿部５２の突起部５３が、第１、第２および第３ブロック３０，３０Ａ，３０Ｂの貫通孔３１，３１Ａ，３１Ｂの下端部４４，４４Ａ，４４Ｂに嵌入する。
【００４１】
このようにねじ部材４３に第１、第２および第３ブロック３０，３０Ａ，３０Ｂのいずれかを乗載した状態で、ねじ部材４３の突起部５３の嵌合凹所５４に嵌合可能な、たとえばドライバーおよび六角レンチなどの工具を用いて、その工具を各ブロック３０，３０Ａ，３０Ｂの貫通孔３１，３１Ａ，３１Ｂに挿通して、工具を前記嵌合凹所５４に嵌合させる。この状態で、ねじ部材４３を軸線Ｌ１２まわりに回転して、ねじ部材４３を螺進および螺退させることによって、支柱１２を軸線Ｌ１２方向に容易に伸縮させることができる。また第１および第２ブロック３０，３０Ａには、基準軸線Ｌ０方向に延びて各貫通孔３１，３１Ａに連通し、第２直線Ｌ２方向他方向Ｃ２側に陥没する溝部３８，３８Ａが形成され、これらの溝部３８，３８Ａは、水平方向のある方向に開放しているので、ねじ部材４３を回転させるための工具を容易に第１および第２ブロック３０，３０Ａの第２軸線Ｌ２方向一方Ｃ１側から溝部３８，３８Ａに当接させることができる。そして前記工具を溝部３８，３８Ａによって案内させることによって、前記工具を各貫通孔３１，３１Ａに容易に挿通させることができる。
【００４２】
図１２は、図３の切断面線Ｓ１２−Ｓ１２から見た断面図である。ここでは図１〜図３も併せて参照して、建造物８０の床基盤８１の上方に、複数の床材１１，１１Ａ，１１Ｂを並べて、複数の支柱１２によって支持する床構造体１０を施工する方法を説明する。まず支柱配置工程において、各床材１１，１１Ａ，１１Ｂの形状に基づいて、支柱１２の配置位置を決定し、軸線Ｌ１２方向に伸縮自在な複数の支柱１２を、軸線Ｌ１２を上下方向に延在させて各配置位置に配置する。このとき各支柱１２の基台４４は、たとえば接着剤によって床基盤８１に固定され、各支柱１２のブロック３０，３０Ａ，３０Ｂの各支持面３４，３５；３４Ａ，３５Ａ；３４Ｂは、水平面に対して平行になる。
【００４３】
次に床材配置工程において、床材１１，１１Ａ，１１Ｂを支柱１２に支持させる。このとき、図１および図３に示すように、ある位置から水平方向に向かうにつれて下方に傾斜するような面を形成したい場合には、第１の床材１１および第１ブロック３０を有する支柱１２を用いて、第１ブロック３０を有する支柱１２に、互いに隣り合う４枚の第１の床材１１（１１１，１１２，１１３，１１４）を支持させる。詳細に述べると、前記支柱１２の第１ブロック３０の第２支持面３５に、第１ブロック３０から見て、第１直線Ｂ１方向（図８参照）に互いに隣り合う２枚の第１の床材１１（１１１，１１２）の、一方の床材１１（１１１）の第３角部１５および他方の床材１１（１１２）の第４角部１６を支持させる。また前記支柱１２の第１ブロック３０の第１支持面３４に、第１ブロック３０から見て、前記２つの第１の床材１１（１１１，１１２）の第２直線Ｌ２方向他方向Ｃ１（図８参照）側の隣りの２枚の第１の床材１１（１１３，１１４）であって、第１直線Ｌ１方向に互いに隣り合う２枚の第１の床材１１（１１３，１１４）の、一方の床材１１（１１３）の第１角部１３および他方の床材１１（１１４）の第２角部１４を支持させる。
【００４４】
さらに支柱調整工程において、各床材１１（１１１〜１１４）の下面１８が、水平面に対して平行になるように、各支柱１２の軸線Ｌ１２方向寸法を調整する。これによって各床材１１（１１１〜１１４）の上方に臨む上面１７が、水平面に対して予め定める傾斜角度θで傾斜するとともに、滑らかに連なる。
【００４５】
このとき、第１の床材１１の第１および第２角部１３，１４を含む第１の床材１１の第１側部１９の表面が上下方向に対して平行となり、支柱１２の第１ブロック３０の第２支持部３３の側部３７の表面が上下方向に対して平行となり、また、第１の床材１１の下面１８が水平方向に対して平行となり、支柱１２の第１ブロック３０の第１支持面３４は、水平方向に対して平行となる。これによって第１支持部３２によって支持される第１軸線Ｌ１方向に隣り合う２つの第１の床材１１（１１３，１１４）のうち、第１ブロック３０から見て、第１直線Ｌ１方向一方Ｂ１側に配置される第１の床材１１（１１３）の第１角部１３と、第１直線Ｌ１方向他方Ｂ２側に配置される第１の床材１１（１１４）の第２角部１４とは、支柱１２の第１ブロック３０の第２支持部３３の側部３７の表面および第１支持面３４に密着することができる。このように密着することによって、第１ブロック３０の軸線Ｌ１２まわりの角変位を阻止して、支柱１２は、第１の床材１１を安定して支持することができる。
【００４６】
また、このとき、各第１の床材１１の第１および第２角部１３，１４の上端部は、支柱１２の第１ブロック３０の第２支持面３５よりも、第１の床材１１の第３角部１５および第４角部１６の厚み寸法ｔ２（＝ｔ１−Δｔ）だけ上方に突出する。第１の床材１１が支柱１２に支持されている状態で、第１の床材１１の第１および第２角部１３，１４を含む第１の床材１１の第１側部１９の表面が上下方向に対して平行となり、第１の床材１１の第３および第４角部１５，１６を含む第１の床材１１の第２側部２２が上下方向に対して平行となり、また第１の床材１１の下面１８が水平方向に対して平行となる。支柱１２の第１ブロック３０の第２支持面３５は、水平方向に対して平行となる。これによって、第１ブロック３０から見て、前述の第１ブロック３０の第１支持部３２に第１および第２角部１３，１４が支持される２つの第１の床材１１（１１３，１１４）の第２直線Ｌ２方向他方Ｃ２側に配置される２つの第１の床材１１（１１１，１１２）の第３および第４角部１５，１６は、前述の第１の床材１１（１１３，１１４）の第１および第２角部１３，１４に密着するとともに、第１ブロック３０の第２支持面３５に密着することができる。さらにこのとき、各第１の床材１１の上面１７は、水平面に対して予め定める傾斜角度θで傾斜して、滑らかに連通する。
【００４７】
図１３は、図３のセクションＸＩＩＩを拡大して示す平面図である。図３に示すように、上下方向に最も低い位置、ここではグリストラップ８３を中心として、その中心から水平方向に離れるにつれて上方に向かって傾斜するような面を形成したい場合には、第１の床材１１および第１ブロック３０を有する支柱１２に加えて、図５に示す第２の床材１１Ａおよび図９に示す第２ブロック３０Ａを有する支柱１２を用いる。床材配置工程において、図１３に示すように、２枚の第１の床材１１（１１ａ，１１ｂ）と２枚の第２の床材１１Ａ（１１Ａａ，１１Ａｂ）とを用いる場合、これら４枚の第１および第２の床材１１，１１Ａ（１１ａ，１１ｂ；１１Ａａ，１１Ａｂ）の角部を、第２ブロック３０Ａを有する支柱１２によって支持する。
【００４８】
詳細に述べると、２枚の第２の床材１１Ａ（１１Ａａ，１１Ａｂ）うちのグリストラップ８３寄りの第２の床材１１Ａ（１１Ａａ）の第１角部１３を、第２ブロック３０Ａの第１支持面３４Ａに支持させる。また２枚の第２の床材１１Ａ（１１Ａａ，１１Ａｂ）のうちの残余の床材１１Ａ（１１Ａｂ）の第４角部１６Ａを、２枚の第１の床材１１（１１ａ，１１ｂ）のうちの、第２ブロック３０Ａから見て、第１直線Ｌ１方向一方Ｂ１側に配置される床材１１（１１ａ）の第３角部１５と、第１直線Ｌ１方向他方Ｂ２側に配置される第１の床材１１（１１ｂ）の第４角部１６とによって挟持するようにして、これら３つの角部１５，１６Ａ，１６を、第２ブロック３０Ａの第２支持面３５Ａに支持させる。
【００４９】
前記第２ブロック３０Ａの第１支持面３４Ａに第１角部１３Ａが支持される第２の床材１１Ａ（１１Ａａ）と、前記第２ブロック３０Ａから見て、前記第２ブロック３０Ａの第２直線Ｌ２方向他方Ｃ２側に配置される第１の床材１１（１１ａ）とは、前記第１の床材１１（１１ａ）の第４角部１６と前記第２の床材１１Ａ（１１Ａａ）の第２角部１４Ａとを当接させて、前記第１の床材１１（１１ａ）の第４角部１６を、第１ブロック３０（３０ａ）を有する支柱１２の第２支持面３５（３５ａ）に支持させ、前記第２の床材１１Ａ（１１Ａａ）の第３角部１４Ａを前記第１ブロック３０（３０ａ）の第１支持面３４（３４ａ）に支持させる。
【００５０】
また前記第２ブロック３０Ａの第１支持面３４Ａに第１角部１３Ａが支持される第２の床材１１Ａ（１１Ａａ）と、前記第２ブロック３０Ａから見て、前記第２ブロック３０Ａの第１直線Ｌ１方向他方Ｂ２側に配置される第１の床材１１（１１ｂ）とは、前記第１の床材１１（１１ｂ）の第３角部１５と前記第２の床材１１Ａ（１１Ａｂ）の第３角部１５Ａとを当接させて、前記第１の床材１１（１１ｂ）の第３角部１５を、第１ブロック３０（３０ｂ）を有する支柱１２の第２支持面３５（３５ｂ）に支持させ、前記第２の床材１１Ａ（１１Ａｂ）の第３角部１４Ａを前記第１ブロック３０（３０ｂ）の第１支持面３４（３４ｂ）に支持させる。また前記第２の床材１１Ａ（１１Ａａ）の第４角部１６Ａは、第３ブロック３０Ｂを有する支柱１２の支持面３４Ｂに支持される。
【００５１】
また前記第２ブロック３０Ａの第２支持面３４Ａに第４角部１６Ａが支持される第２の床材１１Ａ（１１Ａｂ）と、前記第２ブロック３０Ａから見て、第１直線Ｌ１方向一方Ｂ１側に配置される第１の床材１１（１１ａ）とは、前記第１の床材１１（１１ａ）の第１角部１３と前記第２の床材１１Ａ（１１Ａｂ）の第２角部１４Ａとを当接させるとともに、第１ブロック３０（３０ｃ）を有する支柱１２の第１支持面３４（３４ｃ）に支持させる。また前記第２ブロック３０Ａの第２支持面３４Ａに第４角部１６Ａが支持される第２の床材１１Ａ（１１Ａｂ）と、前記第２ブロック３０Ａから見て、第２直線Ｌ２方向一方Ｃ１側に配置される第１の床材１１（１１ｂ）とは、前記第１の床材１１（１１ｂ）の第２角部１４と前記第２の床材１１Ａ（１１Ａｂ）の第３角部１５Ａとを当接させるとともに、第１ブロック３０（３０ｄ）を有する支柱１２の第１支持面３４（３４ｄ）に支持させる。
【００５２】
さらに支柱調整工程において、各床材１１，１１Ａの下面１８，１８Ａが、水平面に対して平行になるように、各支柱１２の軸線Ｌ１２方向寸法を調整する。これによって各床材１１，１１Ａの上面１７；１７１，１７２が、水平面に対して予め定める傾斜角度θで傾斜するとともに、滑らかに連なる。
【００５３】
このとき、第２の床材１１Ａの第１角部１３Ａと第２角部１４Ａとを含む第１側部１９Ａ、および第２の床材１１Ａの第１角部１３Ａと第３角部１５Ａとを含む第２側部２０Ａは、上下方向に対して平行となり、支柱１２の第２ブロック３０Ａの第２支持面３５Ａと第１支持面３４Ａとに連通する２つの側面３７１，３７２が上下方向に対して平行となる。また、第２の床材１１Ａの下面１８Ａが水平方向に対して平行となり、支柱１２の第２ブロック３０Ａの第１支持面３４Ａは、水平方向に対して平行となる。これによって、第２の床材１１Ａの第１角部１３Ａは、支柱１２の第２ブロック３０Ａの第２支持面３５Ａと第１支持面３４Ａとに連通する２つの側面３７１，３７２および第１支持面３４Ａに密着することができる。これによって第２ブロック３０Ａの軸線Ｌ１２まわりの角変位を阻止して、支柱１２は、第１および第２の床材１１，１１Ａを安定して支持することができる。
【００５４】
また、このとき、第２ブロック３０Ａの第１支持面３４Ａに支持される第２の床材１１Ａの第１角部１３Ａの上端部は、支柱１２の第２ブロック３０Ａの第２支持面３５Ａよりも、第１の床材１１の第３角部１５および第４角部１６の厚み寸法ｔ２（＝ｔ１−Δｔ）だけ上方に突出する。第１および第２の床材１１，１１Ａが支柱１２に支持されている状態で、第１の床材１１の第１〜第４側部１９〜２２および第２の床材１１Ａの第１〜第４側部１９Ａ〜２２Ａが上下方向に対して平行となる。これによって、第２ブロック３０Ａから見て、前述の第２ブロック３０Ａの第１支持部３２Ａに第１角部１３Ａが支持される第２の床材１１Ａ（１１Ａａ）の第２直線Ｌ２方向他方Ｃ２側に配置される第１の床材１１（１１ａ）の第３角部１５は、前述の第２の床材１１Ａ（１１Ａａ）の第１角部１３Ａに密着するとともに、第２ブロック３０Ａの第２支持面３５Ａに支持される第２の床材１１Ａ（１１Ａｂ）の第４角部１６Ａに密着することができる。また第２ブロック３０Ａから見て、前述の第２ブロック３０Ａの第１支持部３２Ａに第１角部１３Ａが支持される第２の床材１１Ａ（１１Ａａ）の第１直線Ｌ１方向他方Ｂ２側に配置される第１の床材１１（１１ｂ）の第４角部１６は、前述の第２の床材１１Ａ（１１Ａａ）の第１角部１３Ａに密着するとともに、第２ブロック３０Ａの第２支持面３５Ａに支持される第２の床材１１Ａ（１１Ａｂ）の第４角部１６Ａに密着することができる。さらにこのとき、各第１の床材１１の上面１７は、水平面に対して予め定める傾斜角度θで傾斜して、滑らかに連通する。
【００５５】
第３の床材１１Ｂは、図３および図１２に示すように、第１および第２の床材１１，１１Ａと建造物８０の内壁部８５との間に間隔があく場合に用いられる。第３の床材１１Ｂの第１および第２角部１３Ｂ，１４Ｂを含む第１側部１９Ｂを、建造物８０の内壁部８５に密着させるとともに、第３ブロック３０Ｂを有し、内壁部８５に当接して配置される支柱１２の支持面３４Ｂに支持させる。また前記第３の床材１１Ｂの第３および第４角部１５Ｂ，１６Ｂを、第１ブロック３０および第２ブロック３０Ａのいずれかを有する支柱１２の第２支持面３５，３５Ａに支持させる。また建造物８０の内壁部８５に接触して配置される第１および第２の床材１１，１１Ａの各角部は、第３ブロック３０Ｂを有する支柱１２によって支持される。また排水溝８２およびグリストラップ８３近傍に配置される第１および第２の床材１１，１１Ａの各角部は、第３ブロック３０Ｂを有する支柱１２によって支持される。
【００５６】
このようにして並べられた複数の床材１１，１１Ａ，１１Ｂにわたって連続して、防水性を有する防水層７０が設けられる。防水層７０は、たとえば防水性を有するシート体を接着剤によって固定することによって設けるようにしてもよく、また、たとえば防水性を有する素材を塗布することによって設けるようにしてもよい。防水性を有するシート体として、たとえば、合成ゴム製のシート体および塩化ビニル製のシート体であってもよい。防水性を有する素材として、ウレタンゴム、繊維強化樹脂、エポキシ系樹脂および水和凝固形樹脂などの樹脂、ならびに浸透性の防水材であってもよい。これによって、水などの液体は、床材１１，１１Ａ，１１Ｂを浸透することなく、床材１１，１１Ａ，１１Ｂの防水層７０に沿って、床材１１，１１Ａ，１１Ｂの傾斜する方向に流下することができる。
【００５７】
以上のように本実施の形態の床構造体１０およびその施工方法によれば、各床材１１，１１Ａ，１１Ｂの上面１７；１７１，１７２；１７Ｂが水平面に対して傾斜させて、隣り合う床材１１，１１Ａ，１１Ｂの上面１７；１７１，１７２；１７Ｂを、滑らかに連なるようにできる。
【００５８】
床材の厚み寸法が一様である場合、床材の上面を水平面に対して傾斜させるためには、床材を支持する支柱の支持面を水平面に対して傾斜させる必要がある。このような場合には、床材には、自重によって傾斜する方向に力が働き、支柱によって安定して支持することができない。これに対して、本実施の形態の床構造体１０は、支柱１２のブロック３０，３０Ａ，３０Ｂの水平面に対して平行な支持面３４，３５；３４Ａ，３５Ａ；３４Ｂに、床材１１，１１Ａ，１１Ｂが支持されるので、床材１１，１１Ａ，１１Ｂの下面１８，１８Ａ，１８ｂ、すなわち各支持面３１，３２；３１Ａ，３２Ａに支持される表面が水平面に対して平行に配置される。これによって各床材１１，１１Ａ，１１Ｂには自重の水平方向成分が零となって、各床材１１，１１Ａ，１１Ｂは各支柱１２によって安定して支持されることができる。
【００５９】
また各床材１１，１１Ａ，１１Ｂは各支柱１２によって前述のように支持されるので、建造物８０の床基盤８１と各床材１１，１１Ａ，１１Ｂとの間に、空間８６を設けることができる。この空間８６に、たとえば水道およびガスの配管、ならびに排水溝８２およびグリストラップ８３などを配置することができる。また、このような空間８６を設けることによって、水道およびガスの配管、ならびに排水溝８２およびグリストラップ８３などを配置するために必要な建造物８０の床基盤８１と上方に臨んで傾斜する表面との間の領域を確保するために、従来技術のようなシンダーコンクリートを用いるような床構造体に比べて、建造物８０の床基盤８１への荷重を大幅に軽減することができる。さらに、このような空間８６を設けることによって、床構造体１０が設けられる室内において発生する騒音を、建造物８０の床基盤８１に伝達しにくくするような防音および防振構造をも実現することができる。
【００６０】
図１４〜図２０は、建造物８０における床構造１０を備える厨房の施工方法の各工程を模式的に示す斜視図である。まず、図１４に示す建造物補修工程において、建造物８０の床基盤８１および内壁部８５の補修が行われる。続いて、図１５に示す建造物防水工程において、建造物８０の床基盤８１および内壁部８５に、防水性を有する防水層を設ける。続いて、図１６に示す床下配管工程において、グリストラップ８３と、後述する排水溝８２、グリストラップ８３および下水道に連通する配水管８７と、給湯器（図示せず）から湯が供給される給湯ヘッダ８８に接続される給湯管８９と、上水道から水が供給される給水ヘッダ９０に接続される給水管９１と、燃料ガス供給源に接続されるガス管９２とが配置される。
【００６１】
続いて、図１７に示す、支柱および床材配置工程において、床材１１，１１Ａ，１１Ｂの形状に基づいて、支柱１２の配置位置を決定し、軸線Ｌ１２方向に伸縮自在な複数の支柱１２を、軸線Ｌ１２を上下方向に延在させて各配置位置に配置し、床材１１，１１Ａ，１１Ｂを支柱１２に支持させる。続いて、図１８に示す、支柱調整および床材防水工程において、各床材１１，１１Ａ，１１Ｂの上方に臨む表面１７；１７１，１７２，１７Ｂが、水平面に対して予め定める傾斜角度θで傾斜するとともに、滑らかに連なるように、各支柱１２の軸線Ｌ１２方向寸法を調整し、複数の床材１１，１１Ａ，１１Ｂにわたって連続して、防水性を有する防水層７０を設ける。
【００６２】
続いて、図１９に示す床上配管工程において、床材１１，１１Ａ，１１Ｂの下方に配置されている配水管８７、給湯管８９およびガス管９３に接続される複数のコンセント９３が、床材１１，１１Ａ，１１Ｂの上方に臨む表面１７；１７１，１７２，１７Ｂに設置される。最後に、図２０に示す最終工程において、排水溝８２およびグレーチング８４が設けられ、内壁部８５に所定の処理が施されて、厨房が完成する。
【００６３】
図２１は、床構造１０を備える厨房１００の一例を示す斜視図である。厨房１００において、床材１１，１１Ａ，１１Ｂの下方（以後、単に「床下」と表記することがある。）には、床材１１，１１Ａ，１１Ｂの上方に臨む表面１７；１７１，１７２，１７Ｂ（以後、単に「床上」と表記することがある。）に設置され流し台１０１，１０２からの排水を一時的に貯留する、排水貯留槽１０３，１０４が設けられ、これらの排水貯留槽１０３，１０４は、副配水管１０５，１０６を介して、排水溝８２に接続され、流し台１０１，１０２からの排水を、排水溝８２に流下させることができる。このように床下に各種配管が配置されるので、床上を有効に活用することができる。また各床材１１，１１Ａ，１１Ｂは、排水溝８２およびグリストラップ８３に向かうにつれて下方に傾斜するので、床上に散布された液体は、排水溝８２およびグリストラップ８３に向かって容易に流下することができる。
【００６４】
図２２は、第４の床材１１Ｃを示す斜視図である。図２３は、第４ブロック３０Ｃを示す斜視図である。第４の床材１１Ｃおよび第４ブロック３０Ｃは、たとえば、床構造１０において、中央部が上下方向に最も高い位置に配置されて、中央部から建造物８０の内壁部８１に向かうにつれて下方に傾斜するような場合に用いることができる。
【００６５】
第４の床材１１Ｃは、支柱１２によって支持される状態において上方に臨む２つの三角形の面と、側方および下方に臨む５つの四角形の面とを有する７面体であり、第１角部１３Ｃから前記第１角部１３Ｃに対向する第２角部１４Ｃ、第３角部１５Ｃおよび第４角部１６Ｃに向かって厚み寸法が変化するように形成される。詳細に述べると、第４の床材１１Ｃの４つの角部のうちの第１角部１３Ｃから、前記第１角部１３Ｃに第４の床材１１Ｃの一側部である第１側部１９Ｃを介して隣り合う第２角部１４Ｃ、前記第１角部１３Ｃに前記第１側部１９Ｃとは異なる側部である第２側部２０Ｃを介して隣り合う第３角部１５Ｃ、および第４の床材１１Ｃの４つの角部のうちの残余の角部である第４角部１６Ｃに向かって、厚み寸法が小さくなるように形成される。
【００６６】
さらに詳細に述べると、支柱１２によって支持される状態で第４の床材１１Ｃの下方に臨む下面１８Ｃは、平面状に形成される。また支柱１２によって支持される状態で第４の床材１１Ｃの前記下面１８Ｃに対向して上方に臨む２つの三角形の面は、第１角部１３Ｃ、第２角部１４Ｃおよび第４角部１６Ｃを含む第１上面１７３、ならびに第１角部１３Ａ、第３角部１５Ａおよび第４角部１６Ａを含む第２上面１７４から成り、これら２つの上面１７３，１７４は、前記下面１８Ｃに対して所定の傾斜角度θで傾斜するように形成される。また上面１７３，１７４および下面１８Ｃに連通する第４の床材１１Ｃの４つの側部である第１〜第４側部１９Ａ〜２２Ａの各表面は、下面１８Ａに垂直な平面状に形成される。詳細には、第４の床材１１Ｃの第１側部１９Ａの台形状の表面と、前記第１側部１９Ｃに対向する第３側部２１Ｃの長方形状の表面とは、平行であり、第２側部２０Ｃの台形状の表面と、前記第２側部２０Ｃに対向する第４側部２２Ｃの長方形状の表面とは、平行であり、第１側部１９Ｃの表面と第２側部２０Ｃの表面とは直交する。
【００６７】
第４の床材１１Ｃの第１角部１３Ｃの厚み寸法は、第１の床材１１の第１角部１３および第２角部１４の厚み寸法ｔ１に等しく、第４の床材１１Ｃの、第２角部１４Ｃ、第３角部１５Ｃおよび第４角部１６Ｃの厚み寸法は、第１の床材１１の第３角部１５および第４角部１６の厚み寸法ｔ２に等しい。第４の床材１１Ｃの下面１８Ｃは、たとえば各辺の長さが約５００ミリメートルの正方形である。
【００６８】
第４ブロック３０Ｃには、その内部を通る基準軸線Ｌ０に沿って貫通する貫通孔３１Ｃが形成される。第４ブロック３０Ｃには、基準軸線Ｌ０に直交する直線である第１直線Ｌ１と基準軸線Ｌ０とに平行な第１仮想平面よりも、基準軸線Ｌ０と第１直線Ｌ１とに直交する第２直線Ｌ２方向一方向Ｃ１側、かつ基準軸線Ｌ０と第２直線Ｌ２とに平行な第２仮想平面よりも、第１直線Ｌ１方向一方Ｂ１側の部分である第２支持部３３Ｄと、残余の部分である第１支持部３２Ｃと、を有する。第１支持部３２Ｃには、基準軸線Ｌ０に垂直な平面状の第１支持面３４Ｃが形成される。第２支持部３２Ｃには、基準軸線Ｌ０に垂直な平面状の第２支持面３５Ｃが形成される。第２支持面３５Ｃは、第１支持面３４Ｃよりも基準軸線Ｌ０方向一方向Ａ１側に配置され、その間隔は、Δｔである。
【００６９】
第２ブロック３０Ｃは、詳細に述べると、一辺が予め定める寸法の立方体に、その一側面に垂直であって、前記立方体の重心を通る基準軸線Ｌ０に沿って貫通する内径が所定の寸法の貫通孔３１Ｃを形成し、基準軸線Ｌ０に垂直な前記立方体の一辺に平行であって基準軸線Ｌ０に直交する第１直線Ｌ１と基準軸線Ｌ０とに平行な第１仮想平面よりも、基準軸線Ｌ０と第１直線Ｌ１とに直交する第２直線Ｌ２の一方向Ｃ１側、かつ基準軸線Ｌ０と第２直線Ｌ２とに平行な第２仮想平面よりも、第１直線Ｌ１方向一方Ｂ１側の部分である第２支持部３３Ｃと、残余の部分である第１支持部３２Ｃと、を有する。
【００７０】
第１支持部３２Ｃには、基準軸線Ｌ０に垂直な平面状の第１支持面３４Ｃが形成される。第１支持面３４Ｃは、詳細に述べると、第１直線Ｌ１方向一方向Ｂ１と第２直線Ｌ２方向一方向Ｃ１とに延びるＬ字状の図形から、基準軸線Ｌ０を中心とする４分の３円を切り取ったような形状である。第２支持部３２Ｃには、基準軸線Ｌ０に垂直な平面状の第２支持面３５Ｃが形成される。第２支持面３５Ｃは、詳細に述べると、一辺が、前記立方体の一辺の半分の寸法となる正方形から基準軸線Ｌ０を中心とする４分の１円を切り取ったような形状である。したがって第２支持面３５Ｃの面積は、第１支持面３４Ａの面積の３分の１である。第２支持面３５Ｃは、第１支持面３４Ｃよりも基準軸線Ｌ０方向一方向Ａ１側に配置され、その間隔は、Δｔである。第２ブロック３０Ｃは、支柱１２が建造物の床基盤８１に配置されている状態で、基準軸線Ｌ０が上下方向に平行になるようにして、支柱１２に設けられる。
【００７１】
貫通孔３１Ｃの基準軸線Ｌ０方向他方向Ａ２側端部３６Ｃは、内周面が段差を有するように、内周面が残余の部分よりも拡径するように形成される。第２支持部３３Ｃの、第１支持面３４Ｃに臨むとともに連通する２つの側部３７３，３７４のうち、一方の側部３７３は、第２直線Ｌ２に垂直な平面状に形成され、他方の側部３７４は、第１直線Ｌ１に垂直な平面状に形成される。第４ブロック３０Ｃは、支柱１２が建造物の床基盤８１に配置されている状態で、基準軸線Ｌ０が上下方向に平行になるとともに、第１および第２支持面３４Ｃ，３５Ｃが上方に臨むようにして、支柱１２に設けられる。
【００７２】
図２４は、第５ブロック３０Ｄを示す斜視図である。第５ブロック３０Ｄには、その内部を通る基準軸線Ｌ０に沿って貫通する貫通孔３１Ｄが形成される。第５ブロック３０Ｄには、基準軸線Ｌ０方向一方Ａ１に配置される第１支持部３２Ｄと、基準軸線Ｌ０方向他方Ａ２に配置される第２支持部３３Ｄとが設けられる。第２支持部３３Ｄの、基準軸線Ｌ０に直交する直線である第１直線Ｌ１方向一方Ｂ１側の側部である第１側部３７５は、第１支持部３２Ｄの第１直線Ｌ１方向一方Ｂ１側の側部よりも第１直線Ｌ１方向他方Ｂ２側に退避している。第２支持部３３Ｄの、基準軸線Ｌ０と第１直線Ｌ１とに直交する直線である第２直線Ｌ２方向一方Ｃ１側の側部である第２側部３７６は、第１支持部３２Ｄの第２直線Ｌ２方向一方Ｃ１側の側部よりも第２直線Ｌ２方向他方Ｃ２側に退避している。
【００７３】
第１支持部３２Ｄには、基準軸線Ｌ０に垂直な平面状の第１支持面３４Ｄが形成される。第２支持部３２Ｄには、基準軸線Ｌ０に垂直な平面状の第２支持面３５Ｄが形成される。第１支持面３４Ｄは、第２支持面３５Ｄよりも基準軸線Ｌ０方向一方向Ａ１側に配置され、その間隔は、Δｔである。
【００７４】
貫通孔３１Ｄの基準軸線Ｌ０方向一方向Ａ１側端部は、内周面が段差を有するように、内周面が残余の部分よりも拡径するように形成される。第２支持部３３Ｄの、第１支持面３４Ｄに臨むとともに連通する２つの側部３７５，３７６のうち、一方の側部３７５は、第１直線Ｌ１に垂直な平面状に形成され、他方の側部３７６は、第２直線Ｌ２に垂直な平面状に形成される。第５ブロック３０Ｄは、支柱１２が建造物の床基盤８１に配置されている状態で、基準軸線Ｌ０が上下方向に平行になるとともに、第１および第２支持面３４Ｄ，３５Ｄが上方に臨むようにして、かつ第２支持面３５Ｄが第１支持面３４Ｄよりも上方になるようにして、支柱１２に設けられる。
【００７５】
このような第５ブロック３０Ｄの第１支持面３４Ｄに、たとえば第１の床材１１の第１側部１９を支持させると、第５ブロック３０Ｄの第１側部１９の表面および第１の床材１１の表面は、ともに上下方向に平行であるので、第１の床材１１の第１側部１９は、第５ブロック３０Ｄの第２支持部３３Ｄの側部３７５，３７６に密着することができる。これによって第５ブロック３０Ｄの基準軸線Ｌ０まわりの角変位を阻止することができる。
【００７６】
各ブロック３０，３０Ａ〜３０Ｄの寸法および材質は、前述の寸法および材質に限定されることはない。
【００７７】
【発明の効果】
請求項１記載の本発明によれば、各床材の上方に臨む一表面が水平面に対して傾斜させることができる。また床材の一角部から他角部に向かう方向に隣り合う床材の上方に臨む一表面は、滑らかに連なることができる。各支柱は各床材を安定して支持することができる。建造物の床基盤と各床材との間に、空間を設けることができる。この空間に、たとえば水道およびガスの配管、ならびに排水溝およびグリストラップなどを配置することができる。また、このような空間を設けることによって、水道およびガスの配管、ならびに排水溝およびグリストラップなどを配置するために必要な建造物の床基盤と上方に臨んで傾斜する表面との間の領域を確保するために、従来技術のようなシンダーコンクリートを用いるような床構造体に比べて、建造物の床基盤への荷重を大幅に軽減することができる。さらに、このような空間を設けることによって、床構造が設けられる室内において発生する騒音を、建造物の床基盤に伝達しにくくするような防音および防振構造をも実現することができる。
【００７８】
請求項２記載の本発明によれば、水などの液体は、床材を浸透することなく、床材の防水層に沿って、床材の傾斜する方向に流下することができる。
【００７９】
請求項３記載の本発明によれば、各床材の上方に臨む一表面が水平面に対して傾斜させることができる。また床材の一角部から他角部に向かう方向に隣り合う床材の上方に臨む一表面は、滑らかに連なることができる。各支柱は各床材を安定して支持することができる。建造物の床基盤と各床材との間に、空間を設けることができる。この空間に、たとえば水道およびガスの配管、ならびに排水溝およびグリストラップなどを配置することができる。また、このような空間を設けることによって、水道およびガスの配管、ならびに排水溝およびグリストラップなどを配置するために必要な建造物の床基盤と上方に臨んで傾斜する表面との間の領域を確保するために、従来技術のようなシンダーコンクリートを用いるような床構造体に比べて、建造物の床基盤への荷重を大幅に軽減することができる。さらに、このような空間を設けることによって、床構造が設けられる室内において発生する騒音を、建造物の床基盤に伝達しにくくするような防音および防振構造をも実現することができる。
【図面の簡単な説明】
【図１】本発明の実施の一形態の床構造体１０を示す断面図である。
【図２】床構造体１０を示す平面図である。
【図３】床構造体１０が設けられる建造物８０を示す平面図である。
【図４】第１の床材１１を示す斜視図である。
【図５】第２の床材１１Ａを示す斜視図である。
【図６】第３の床材１１Ｂを示す斜視図である。
【図７】支柱１２を示す断面図である。
【図８】支柱１２の第１ブロック３０を示す斜視図である。
【図９】支柱１２の第２ブロック３０Ａを示す斜視図である。
【図１０】支柱１２の第３ブロック３０Ｂを示す斜視図である。
【図１１】ねじ部材４３および基台４４を示す斜視図である。
【図１２】図３の切断面線Ｓ１２−Ｓ１２から見た断面図である。
【図１３】図３のセクションＸＩＩＩを拡大して示す平面図である。
【図１４】建造物８０における床構造１０を備える厨房の施工方法の建造物補修工程を模式的に示す斜視図である。
【図１５】建造物８０における床構造１０を備える厨房の施工方法の建造物防水工程を模式的に示す斜視図である。
【図１６】建造物８０における床構造１０を備える厨房の施工方法の床下配管工程を模式的に示す斜視図である。
【図１７】建造物８０における床構造１０を備える厨房の施工方法の床材配置工程を模式的に示す斜視図である。
【図１８】建造物８０における床構造１０を備える厨房の施工方法の支柱調整および床材防水工程を模式的に示す斜視図である。
【図１９】建造物８０における床構造１０を備える厨房の施工方法の床上配管工程を模式的に示す斜視図である。
【図２０】建造物８０における床構造１０を備える厨房の施工方法の最終工程を模式的に示す斜視図である。
【図２１】床構造１０を備える厨房１００の一例を示す斜視図である。
【図２２】第４の床材１１Ｃを示す斜視図である。
【図２３】第４ブロック３０Ｃを示す斜視図である。
【図２４】第５ブロック３０Ｄを示す斜視図である。
【符号の説明】
１０　床構造体
１１，１１Ａ，１１Ｂ，１１Ｃ　床材
１２　支柱
１３〜１６，１３Ａ〜１６Ａ，１３Ｂ〜１６Ｂ，１３Ｃ〜１６Ｃ　角部
１７；１７１，１７２；１７３，１７４　上面
３０，３０Ａ，３０Ｂ，３０Ｃ，３０Ｄ　ブロック
３４，３４Ａ，３４Ｃ，３４Ｄ　第１支持面
３５，３５Ａ，３５Ｃ，３５Ｄ　第２支持面
７０　防水層
８０　建造物
８１　床基盤
【図１】
2004124513.tif 000003
【図２】
2004124513.tif 000004
【図３】
2004124513.tif 000005
【図４】
2004124513.tif 000006
【図５】
2004124513.tif 000007
【図６】
2004124513.tif 000008
【図７】
2004124513.tif 000009
【図８】
2004124513.tif 000010
【図９】
2004124513.tif 000011
【図１０】
2004124513.tif 000012
【図１１】
2004124513.tif 000013
【図１２】
2004124513.tif 000014
【図１３】
2004124513.tif 000015
【図１４】
2004124513.tif 000016
【図１５】
2004124513.tif 000017
【図１６】
2004124513.tif 000018
【図１７】
2004124513.tif 000019
【図１８】
2004124513.tif 000020
【図１９】
2004124513.tif 000021
【図２０】
2004124513.tif 000022
【図２１】
2004124513.tif 000023
【図２２】
2004124513.tif 000024
【図２３】
2004124513.tif 000025
【図２４】
2004124513.tif 000026